(57)【要約】【課題】録画装置を複数備え、ある録画装置に設定された録画予約を他の録画装置で実行させたいという要求があった。このため、ある録画装置における録画動作を他の機器で実行させることを簡易に行える録画装置を提供し、ユーザの利便性を向上させることが課題になっていた。【解決手段】実施形態の録画装置は、他機器において録画予約された番組の録画予約情報を受信する録画予約情報受信部を備える。また、前記受信した録画予約情報に係る番組と実質的に同じ内容の番組を自機器で録画可能な場合に、この録画条件を出力する録画条件出力部を備える。【選択図】  図６
2012238928.tif 000002
【特許請求の範囲】
【請求項１】
他機器において録画予約された番組の録画予約情報を受信する録画予約情報受信部と、
前記受信した録画予約情報に係る録画予約と実質的に同じ内容の録画条件を自機器で実行可能であるかを検出する検出部を備える録画装置。
【請求項２】
前記他機器において録画予約された番組の録画予約情報は、前記他機器から出力される請求項１に記載の録画装置。
【請求項３】
前記受信した録画予約情報に係る録画予約と実質的に同じ内容の録画予約を実行可能な場合に、この録画条件を出力する録画条件出力部を備える請求項１または請求項２のいずれかに記載の録画装置。
【請求項４】
前記出力した録画条件を拒絶する信号を受信しない場合は、前記録画条件で録画を行なう請求項１乃至請求項３のいずれかに記載の録画装置。
【請求項５】
他機器において録画予約された番組の録画予約情報を受信するステップと、
前記受信した録画予約情報に係る録画予約と実質的に同じ内容の録画予約を自機器で実行可能であるかを検出するステップを備える録画方法。
【請求項６】
自機器において録画予約された番組の録画予約情報を出力する録画予約情報出力部と、
前記出力された録画予約情報を他機器で受信し、前記録画予約情報に係る録画予約と実質的に同じ内容の録画予約を前記他機器において録画可能な場合に、前記他機器から出力される他機器の録画条件を受信する録画条件受信部と、
前記受信した他機器の録画条件を表示する録画条件表示部を備える録画装置。
【請求項７】
前記他機器において前記録画予約情報に係る録画予約と実質的に同じ録画を実行不可の場合に、第２の他機器から前記第２の他機器において録画可能な録画条件を受信する請求項６に記載の録画装置。
【請求項８】
前記自機器は携帯端末である請求項６または請求項７のいずれかに記載の録画装置。
【請求項９】
自機器において録画予約された番組の録画予約情報を出力するステップと、
前記出力された録画予約情報を他機器で受信し、前記録画予約情報に係る番組と実質的に同じ内容の録画予約を前記他機器において実行可能な場合に、前記他機器から出力される他機器の録画条件を受信するステップと、
前記受信した他機器の録画条件を表示するステップを備える録画方法。
【発明の詳細な説明】
【技術分野】
【０００１】
本発明の実施形態は、録画装置、録画方法に関する。
【背景技術】
【０００２】
近年、放送を受信し、録画を行なう録画装置が普及している。
また近年、放送の形態も多様化し、例えば、同じ内容の番組（コンテンツ）が複数の放送経路で放送されるようになっている。
このため、例えば、ある番組（コンテンツ）を特定の時間帯に録画することができない場合でも、異なる放送経路で放送される同じ内容の番組（コンテンツ）を受信し、録画を行なうことができる場合がある。
【０００３】
例えば、ある番組（コンテンツ）が地上波で放送された後に、衛星放送で上記ある番組と同じ内容の番組（コンテンツ）が放送されるケース等がこれに該当する。
以降、ここでは、例えば、複数の放送経路で放送される同じ内容の番組（コンテンツ）を実質的に同じ番組（コンテンツ）とも呼ぶ。
また、近年、放送電波による放送経路だけではなく、例えば、インターネットを利用した放送(ＩＰＴＶ等)も普及しており、これまでに増して、放送チャンネル数も多くなりつつあり、上記ある番組と実質的に同じ番組（コンテンツ）を異なる放送経路で受信し、視聴できる機会が増加している。
【０００４】
そして、録画装置を複数備え、ある録画装置に設定された録画予約を他の録画装置で実行させたいという要求があった。
しかし、録画装置はそれぞれが独立した機器であり、複数の録画装置が同じ放送を受信できなかったり、記録方式や記録能力が異なっていたりする場合がある。このような複数の録画装置間の調整を行なうことは、ユーザにとって煩雑である。
【０００５】
このため、簡易に、ある録画装置に設定された録画予約を他の録画装置で実行させることが可能な録画装置を提供し、ユーザの利便性を向上させることが課題になっていた。
【先行技術文献】
【特許文献】
【０００６】
【特許文献１】特開２００３−１９９００４号公報
【発明の概要】
【発明が解決しようとする課題】
【０００７】
録画装置を複数備え、ある録画装置に設定された録画予約を他の録画装置で実行させたいという要求があった。しかし、録画装置はそれぞれが独立した機器であり、複数の録画装置が同じ放送を受信できなかったり、記録方式や記録能力が異なっていたりする場合がある。
【０００８】
このため、ある録画装置における録画動作を他の機器で実行させることを簡易に行える録画装置を提供し、ユーザの利便性を向上させることが課題になっていた。
【課題を解決するための手段】
【０００９】
実施形態の録画装置は、他機器において録画予約された番組の録画予約情報を受信する録画予約情報受信部を備える。
また、前記受信した録画予約情報に係る番組と実質的に同じ内容の番組を自機器で録画可能な場合に、この録画条件を出力する録画条件出力部を備える。
【図面の簡単な説明】
【００１０】
【図１】実施形態に係わる録画装置１および録画装置２がシステム構成されたシステム図。
【図２】図１に示すようにシステム構成された実施形態に係わる録画装置の構成の一例を示すブロック図。
【図３】実施形態に係わる録画装置１の予約情報記憶部に記憶された番組録画予約情報の一例を示す図。
【図４】実施形態に係わる録画装置１の予約情報記憶部に記憶された番組録画予約の一覧表示の一例を示す図。
【図５】実施形態に係わる録画装置１および録画装置２間における予約録画の移動シーケンスを説明するシーケンス図。
【図６】実施形態に係わる録画装置２から録画装置１に向けて出力され、録画装置１で表示される、録画装置２の録画条件の表示例を示す図。
【図７】実施形態に係わる録画装置１および録画装置２の動作を説明するフローチャート。
【図８】他の実施形態に係わる録画装置１および録画装置２、録画装置３がシステム構成されたシステム図。
【図９】図８に示すようにシステム構成された他の実施形態に係わる録画装置の構成の一例を示すブロック図。
【図１０】他の実施形態に係わる録画装置１および録画装置２、録画装置３の動作の一部を説明するフローチャート。
【図１１】他の実施形態に係わる録画装置１および録画装置２、録画装置３の上記図１０の残りの動作を説明するフローチャート。
【図１２】他の実施形態に係わる複数の録画装置がシステム構成されたシステム図。
【図１３】他の実施形態に係わる複数の録画装置がシステム構成されたシステムにおける携帯端末と録画装置２を示す図。
【図１４】他の実施形態に係わる携帯端末と録画装置２間における予約録画の移動シーケンスを説明するシーケンス図。
【発明を実施するための形態】
【００１１】
以下、図面を参照し、実施の形態を説明する。
図１は、実施形態に係わる録画装置１および録画装置２がシステム構成されたシステム図の一例である。
符号１０は録画装置１、符号２０は録画装置２、符号３０はＬＡＮ、符号４０はネットワーク（インターネット）、符号５０はサーバである。
また、符号１は、例えば、録画装置１（１０）に設けられるアンテナ１、符号２は録画装置２（２０）に設けられるアンテナである。なお、この実施の形態においては、これらのアンテナ１、アンテナ２は地上波デジタル放送や衛星デジタル放送、ＣＡＴＶによる放送等を受信可能である。
【００１２】
そして、図１に示すように、録画装置１（１０）と録画装置２（２０）は、例えば有線または無線のＬＡＮ（３０）を介して接続される。また、例えば、ここでは、録画装置２（２０）は、ネットワーク（インターネット）４０を介してサーバ５０に接続され、例えば、ＩＰＴＶ等のインターネット放送を受信することが可能である。
【００１３】
また、この実施の形態においては、例えば、録画装置２（２０）は、録画装置１（１０）において録画予約された番組の録画予約情報を受信し、この受信した録画予約情報に係る番組と実質的に同じ内容の番組を自機器（録画装置２（２０））で録画可能な場合に、この録画条件を録画装置１（１０）に対して出力する。
【００１４】
また、録画装置１（１０）は、この録画装置２（２０）から出力された、録画装置２（２０））で録画可能な録画条件を受信し、例えば、録画装置１（１０）の表示部に表示出力する。
【００１５】
図２は、図１に示すようにシステム構成された実施形態に係わる録画装置の構成の一例を示すブロック図である。
符号１１は予約情報管理部、符号１２は予約情報記憶部、符号１３は予約情報表示部、符号１４は予約移動指示部、符号１５は予約情報送信部、符号１６は予約情報受信部、符号１７は予約情報変換部、符号１８は予約録画実行部、符号１９は制御部である。
【００１６】
この実施の形態においては、録画装置１（１０）は、予約情報受信部１６、予約情報表示部１３、制御部１９、予約情報送信部１５、予約録画実行部１８を備えている。
【００１７】
ここでは、予約録画実行部１８は、例えば、ＨＤＤレコーダやＢＤレコーダ等の録画装置を備えている（図示せず）。そして、録画装置１（１０）は、受信した放送等の映像コンテンツ等を録画することが可能である。
【００１８】
また、上記制御部１９は、予約情報変換部１７、予約移動指示部１４、予約情報管理部１１、予約情報記憶部１２を備えており、例えば、予約情報管理部１１は、予約情報変換部１７、予約移動指示部１４、予約情報記憶部１２を制御する。
【００１９】
ここでは、例えば、録画装置１（１０）の録画予約に関する録画予約情報は、録画予約部１２に記憶される。
そして、例えば、上記予約情報管理部１１は、録画予約部１２に記憶された録画予約情報にアクセスし、録画予約情報の追加や削除、検索等を行う。
また、予約情報記憶部１２は、録画装置（例えば、ＨＤＤ等）に録画予約情報を格納、すなわち記憶する。
予約情報表示部１３は、予約情報管理部１１から、録画装置１（１０）の録画予約に関する、例えば、上記録画予約情報の一覧情報を取得する。この録画予約情報の一覧情報は、例えば、図３の説明で後述するように、ユーザによって選択できるように、リスト形式で表示することが可能である。
【００２０】
また、符号２１は予約情報管理部、符号２２は予約情報記憶部、符号２３は予約情報表示部、符号２４は予約移動指示部、符号２５は予約情報送信部、符号２６は予約情報受信部、符号２７は予約情報変換部、符号２８は予約録画実行部、符号２９は制御部である。
【００２１】
録画装置２（２０）は、予約情報受信部２６、予約情報表示部２３、制御部２９、予約情報送信部２５、予約録画実行部２８を備えている。
予約録画実行部２８は、例えば、ＨＤＤレコーダやＢＤレコーダ等の録画装置を備えている。そして、録画装置２（２０）は、受信した放送等の映像コンテンツ等を録画することが可能である。
【００２２】
また、上記制御部２９は、予約情報変換部２７、予約移動指示部２４、予約情報管理部２１、予約情報記憶部２２を備えており、例えば、予約情報管理部２１は、予約情報変換部２７、予約移動指示部２４、予約情報記憶部２２を制御する。
【００２３】
例えば、録画装置２（２０）の録画予約に関する録画予約情報は、録画予約部２２に記憶される。
そして、例えば、上記予約情報管理部２１は、録画予約部２２に記憶された録画予約情報にアクセスし、録画予約情報の追加や削除、検索等を行う。
また、予約情報記憶部２２は、録画装置（例えば、ＨＤＤ等）に録画予約情報を記憶する。
この実施の形態においては、録画装置２（２０）は、録画装置１（１０）と同様の構成を備え、上記のように録画装置１（１０）と接続される。
そして、この実施の形態においては、録画装置１（１０）の予約移動指示部１４は、例えば、予約情報表示部１３に表示された録画装置１（１０）の録画予約に対し、例えば、この録画予約の一部または全部を録画装置２（２０）で行なうように、いわば、録画装置１（１０）の録画予約を録画装置２（２０）に移動することを指示する。
【００２４】
この実施の形態においては、例えば、ユーザが、移動対象となる録画予約番組（録画予約の一部または全部）と録画予約の移動先（ここでは、録画装置２（２０））を指定する。
【００２５】
このユーザによる録画予約番組の指定は、例えば、番組録画予約情報の一覧表示から行われる（図３）。
この実施の形態においては、例えば、ユーザ操作により、録画装置１（１０）に表示されたこの番組録画予約情報の一覧表示を見ながら、録画装置１（１０）の録画予約情報が指定される。また、同様に、この録画予約情報の送信先機器が指定される。
【００２６】
ここでは、例えば、上記予約移動指示部１４で指定された録画予約情報が、指定された送信先機器（ここでは録画装置２（２０））に送信される。
そして、録画装置２（２０）の予約情報受信部２６は、録画装置１（１０）から送信された録画装置１（１０）の録画予約情報を受信する。
録画装置２（２０）の予約変換部２７は、予約情報受信部２６で受信された録画装置１（１０）の録画予約情報を、録画装置２（２０）において録画可能な条件に合うように、録画予約を変換する。例えば、指定された番組に係る放送が受信できない場合は、録画装置２（２０）において、この番組と実質的に同じ内容の番組が受信可能な放送を検出し、この番組と実質的に同じ内容の番組を受信し、録画するように録画予約を変換する。この番組と実質的に同じ内容の番組は、例えば、地上波とＢＳ等のように異なる放送経路であったり、また、異なる放送時間となったりすることもある。また、例えば、録画装置１（１０）と録画装置２（２０）の記録形式が異なる場合は、録画装置２（２０）の記録形式に変換する。
【００２７】
そして、この変換された録画予約、すなわち、録画装置２（２０）において録画可能な条件に合わせた録画予約を、予約情報管理部１１に登録する。
そして、図１および図２に示すように、録画装置１（１０）と録画装置２（２０）は、例えば有線または無線のＬＡＮ（３０）を介して接続される。また、例えば、ここでは、録画装置２（２０）は、ネットワーク（インターネット）４０を介してサーバ５０に接続され、例えば、ＩＰＴＶ等のインターネット放送を受信することが可能である。
【００２８】
上記のように、録画装置１（１０）における受信可能な放送や録画可能な方式等が録画装置２（２０）における受信可能な放送や録画可能な方式等とは必ずしも一致しない場合がある。
【００２９】
そこで、この実施の形態においては、例えば、録画装置１（１０）と録画装置２（２０）の受信可能な放送や録画可能な方式等が一致しない場合に、録画装置１（１０）に記憶された録画予約情報を用い、録画装置２（２０）において受信可能な放送や録画可能な方式に変換し、録画予約を実行することができないかを試みる。
【００３０】
そして、録画装置１（１０）と録画装置２（２０）の受信可能な放送や録画可能な方式等が一致しない場合に、例えば、録画装置２（２０）の予約変換部２７は、予約情報受信部２６で受信された録画装置１（１０）の録画予約情報を、録画装置２（２０）において録画可能な条件に合わせて録画予約の内容を変換する。
【００３１】
この実施の形態においては、例えば、このとき、録画装置２（２０）は録画装置１（１０）に対して、変換された録画予約の内容を出力し、この変換された内容で録画予約を実行しても良いかを照会する。
【００３２】
そして、例えば、録画装置１（１０）から、この変換された内容で録画予約を実行しても良い旨の回答を受信した場合に、この録画装置２（２０）において録画可能な条件を、録画装置２（２０）の予約情報管理部２１に登録する。
【００３３】
録画装置２（２０）の予約実行部２８は、予約情報管理部２１で管理された録画予約条件に従い、録画予約を実行する。
図３は、実施形態に係わる録画装置１の予約情報記憶部に記憶された番組録画予約情報の一例を示す図である。
ここでは、録画装置１（１０）の予約情報記憶部１２に記憶、すなわち、録画予約された番組録画予約情報が記憶されている。
図３に示すように、放送種別欄は、予約すべき番組がどの経路にあるかを表し、地上波・ＢＳ・ＣＳなどのネットワークやＩＰＴＶの名称など受信経路に必要な名称が記憶される。なお、この放送種別は、個別の録画装置が受信できる経路である。このため、接続機器等、個別の録画装置で異なる。
【００３４】
また、チャンネル欄は、予約すべき番組のチャンネルが格納される。なお、そのフォーマットは、上記放送種別欄の値により異なる。例えば、ＶＯＤサービス形式の番組が対象の時は、番組を閉めるＩＤが格納される。
【００３５】
また、開始日時欄は、番組の開始日時が、終了日時欄は番組の終了日時が記憶（格納）される。
また、タイトル欄は、番組のタイトルが、また、ジャンル欄には、番組の属するジャンルが記憶（格納）される。また、録画モード欄は、録画時のフォーマットが記憶される。
【００３６】
また、優先度欄は、例えば、録画予約が重複した場合に、優先すべき録画を決定するために使用される。ここでは、例えば、優先度の高い順に、「高」「普通」「低」の３段階の値をとる。
【００３７】
そして、符号３０１の番組録画予約は、放送種別は「地上波」、チャンネルは「１２２」、開始日時は「２０１１年１月１１日の２０時００分」、終了日時は「２０１１年１月１１日の２０時５８分」、番組のタイトルは「あしたの希望２＃１」、ジャンルは「ドラマ」、録画モードは「ＴＳ」、ユーザの優先度は「高」である。
【００３８】
ここで、ＴＳは（トランスポート・ストリーム）を示している。
また、符号３０２の番組録画予約は、放送種別は「ＢＳ」、チャンネルは「２３４」、開始日時は「２０１１年１月１２日の１２時００分」、終了日時は「２０１１年１月１２日の１３時００分」、番組のタイトルは「お昼のコメディーショー」、ジャンルは「コメディ」、録画モードは「ＴＳ」、ユーザの優先度は「普通」である。
【００３９】
また、符号３０３の番組録画予約は、放送種別は「ＣＳ」、チャンネルは「８３３」、開始日時は「２０１１年１月１２日の２１時００分」、終了日時は「２０１１年１月１２日の２１時５４分」、番組のタイトルは「ミュージックアワー」、ジャンルは「音楽」、録画モードは「ＤＶＤ」、ユーザの優先度は「普通」である。
【００４０】
また、符号３０４の番組録画予約は、放送種別は「ＶＯＤ」、チャンネルは「１２４３５」、開始日時は「−」、終了日時は「−」、番組のタイトルは「あしたの希望＃４」、ジャンルは「ドラマ」、録画モードは「ＭＰＥＧ４」、ユーザの優先度は「普通」である。この放送は、ＶＯＤ（ビデオ・オン・デマンド）で逐次放送されるため、開始日時は「−」、終了日時は「−」となっている。
【００４１】
図４は、実施形態に係わる録画装置１の予約情報記憶部に記憶された番組録画予約の一覧表示の一例を示す図である。
この一覧表示は、例えば、上記図３に示した録画装置１（１０）の予約情報記憶部１２に記憶された番組録画予約が、例えば、録画装置１（１０）の予約情報表示部１３に表示される。
【００４２】
符号４００は、例えば、録画装置１（１０）の予約情報表示部１３に表示される録画予約の一覧表示画面である。
符号４０１は、録画予約された番組「あしたの希望２＃１」の録画予約に係る情報が表示されている。
ここでは、放送種別は「地上波」、チャンネルは「１２２」、開始日時は「２０１１年１月１１日の２０時００分」、終了日時は「２０１１年１月１１日の２０時５８分」、ジャンルは「ドラマ」、録画モードは「ＴＳ」、ユーザの優先度は「高」が表示されている。
【００４３】
符号４０２は、録画予約された番組「お昼のコメディーショー」の録画予約に係る情報が表示されている。
ここでは、放送種別は「ＢＳ」、チャンネルは「２３４」、開始日時は「２０１１年１月１２日の１２時００分」、終了日時は「２０１１年１月１２日の１３時００分」、ジャンルは「コメディ」、録画モードは「ＴＳ」、ユーザの優先度は「普通」が表示されている。
【００４４】
符号４０３は、録画予約された番組「ミュージックアワー」の録画予約に係る情報が表示されている。
ここでは、放送種別は「ＣＳ」、チャンネルは「８３３」、開始日時は「２０１１年１月１２日の２１時００分」、終了日時は「２０１１年１月１２日の２１時５４分」、ジャンルは「音楽」、録画モードは「ＤＶＤ」、ユーザの優先度は「普通」が表示されている。
【００４５】
符号４０４は、録画予約された番組「あしたの希望＃４」の録画予約に係る情報が表示されている。
ここでは、放送種別は「ＶＯＤ」、チャンネルは「１２４３５」、ジャンルは「ドラマ」、録画モードは「ＭＰＥＧ４」、ユーザの優先度は「普通」が表示されている。
【００４６】
上記のように、この放送は、ＶＯＤ（ビデオ・オン・デマンド）で逐次放送されるため、開始日時および終了日時は空欄で表示されている。
なお、上記においては、録画装置１（１０）に録画予約された録画予約情報が全て表示される例を説明したが、例えば、録画装置１（１０）が、ユーザに指定された所定の条件に合わせた絞り込みを行い、これを表示するように構成してもよい。
【００４７】
図５は、実施形態に係わる録画装置１および録画装置２間における予約録画の移動シーケンスを説明するシーケンス図である。
ここでは、上記のように構成された録画装置１（１０）および録画装置２（２）の２台の録画装置における、予約録画の移動シーケンスを示している。
ここでは、上記予約録画に係る情報の転送元は「録画装置１（１０）」、転送先は「録画装置２（２０）」である。また、符号１０００は、この「録画装置１（１０）」から「録画装置２（２０）」へ予約録画を移動させることを操作するユーザである。
【００４８】
ここでは、まず、ユーザ１０００が図示しないリモコン等を用い、録画装置１（１０）に対し、録画装置１（１０）に録画予約されている番組に係る情報を表示するように指示する。
【００４９】
すると、録画装置１（１０）は、この指示を受け、例えば、録画装置１（１０）の予約情報表示部１３に、例えば、図４に示すような、録画予約一覧表示を表示する（５０１）。
【００５０】
ユーザ１０００は、この表示された録画予約一覧表示の予約録画情報から、一つまたは複数の番組を選択指定する。上記予約録画情報の転送先は、予め指定されていても良いし、この時、ユーザ１０００が上記予約録画情報の転送先（この場合「録画装置２（２０）」）を指定しても良い。（５０２）
【００５１】
そして、これらの指定された情報が、録画装置１（１０）から録画装置２（２０）に向けて送信される。例えば、録画装置１（１０）は、予約情報送信部１５から、ネットワークを通じて録画装置２（２０）の予約情報受信部２６に、上記予約録画情報を送信する。これにより、予約録画の移動が要求される（５０３）。
【００５２】
録画装置２（２０）は、録画装置１（１０）から送信された予約録画情報を受信する。そして、受信した予約録画情報の内容で、録画装置２（２０）で予約録画が実行可能であるか否かを判別する。
【００５３】
そして、受信した予約録画情報の内容で、録画装置２（２０）で予約録画が実行可能である場合は、図５（ｂ）に示すように、予約変更をせず、例えば、放送時間や圧縮モード等との変換を行なうことなく、受信した予約録画情報の内容で、予約情報管理部１０１にて予約を登録する（５０９）。
【００５４】
また、受信した予約録画情報の内容で、録画装置２（２０）で予約録画が実行可能ではない場合は、図５（ａ）に示すように、上記録画装置２（２０）において予約録画可能な条件に変更した、録画装置２（２０）における変更予約録画情報を、録画装置１（１０）に向けて出力する（５０５）。
【００５５】
録画装置１（１０）は、この変更予約録画情報を受信する。そして、予約情報表示部１３に、変更予約録画に係る情報（録画装置２（２０）において録画可能な録画条件）の表示画面（例えば、後述する図６）を表示出力し、ユーザの確認を得る（５０６）。
【００５６】
ユーザ１０００は、例えば、この図６に示すような表示画面の内容を確認し、上記表示された変更予約録画に係る情報（録画装置２（２０）において録画可能な録画条件）で予約録画を行なっても良いか否かを、図示しないリモコン等を用い、録画装置１（１０）に入力する。そして、上記録画条件で予約録画を行なっても良い場合は、ユーザは、例えば、「はい」を指定し、入力する（５０７）。
【００５７】
そして、上記「はい」が入力された場合は、録画装置１（１０）は、上記変更予約録画が確認された旨を録画装置２（２０）に向けて出力し、上記変更予約録画の実行を指示する（５０８）。
【００５８】
録画装置２（２０）は、この変更予約録画の実行指示を受信し、録画装置２（２０）の予約情報管理部２１にこの予約録画を登録する（５０９）。
図６は、実施形態に係わる録画装置２から録画装置１に向けて出力され、録画装置１で表示される、録画装置２の録画条件の表示例を示す図である。
符号６００は、上記変更予約録画に係る情報（録画装置２（２０）において録画可能な録画条件）の表示画面の一例であり、上記録画条件が表示される。この表示は、例えば、録画装置１（１０）の予約情報表示部１３に表示される。
【００５９】
この実施の形態においては、上記変更された予約録画条件のどの部分が変更になったかがユーザにわかりやすいように、例えば、識別可能に表示される。
符号４０１は、変更前の予約録画条件、すなわち、元々録画装置１（１０）に予約されていた録画条件である。
図６に示すように、ここでは、変更前の予約録画条件の放送種別は「地上波」、チャンネルは「１２２」、予約録画時刻は「２０１１年１月１１日の２０時００分−２０時５８分」、番組タイトルは「あしたの希望２＃１」、ジャンルは「ドラマ」、録画モードは「ＴＳ」、ユーザの優先度は「高」である。
【００６０】
また、符号６０１は、上記番組と実質的に同じ内容の番組を予約録画する場合の、変更後の予約録画条件である。上記のように、ここでは、録画装置２（２０）において録画可能な録画条件であり、これが表示される。
【００６１】
ここでは、変更後の予約録画条件の放送種別は、インターネットを経由する放送である「ＩＰＴＶ」に変更されている。また、符号６１０を付すように、この変更が識別可能に表示されている。
【００６２】
また、チャンネルは、「７３２」に変更されている。符号６２０を付すように、同様に、この変更が識別可能に表示されている。
また、予約録画時刻は、「２０１１年１月１１日」および「１８時００分−１８時５８分」に変更されている。符号６３０、符号６４０を付すように、同様に、この変更が識別可能に表示されている。
【００６３】
また、番組タイトルは、「あしたの希望２＃１」であり、変更前の予約録画条件４０１に比べ変更はない。また、ジャンルは、「ドラマ」であり、変更前の予約録画条件４０１に比べ変更はない。
【００６４】
また、録画モードは、「ＡＶＣ」に変更されている。符号６５０を付すように、同様に、この変更が識別可能に表示されている。
また、ユーザの優先度は「高」であり、変更前の予約録画条件４０１に比べ変更はない。
また、図６に示すように、ユーザに対して変更予約録画の確認を表示し、変更予約録画を行っても良い場合は、符号６６０を付した「はい」が選択指定される。また、変更予約録画を行ってはいけない場合は、符号６７０を付した「いいえ」が選択指定される。
【００６５】
ここでは、ユーザによって、符号６６０を付した「はい」が選択指定されている。
図７は、実施形態に係わる録画装置１および録画装置２の動作を説明するフローチャートである。
符号Ｓ１００は、ここでの開始ステップである。続いて、ステップＳ１０１に進む。
ステップＳ１０１は、上記のように、ユーザ操作により、録画装置１（１０）から録画装置２（２０）に予約移動が指示されたステップである。続いて、ステップＳ１０２に進む。
【００６６】
ステップＳ１０２は、録画装置１（１０）から録画装置２（２０）に、予め設定された予約録画予約情報を出力するステップである。続いて、ステップＳ１０３に進む。
【００６７】
ステップＳ１０３は、録画装置２（２０）は、予約内容受信部２６で、録画装置１（１０）の予約録画予約情報を受信するステップである。ここでは、予約情報受信部１６から、上記必要に応じて変換する予約録画情報を受け取る。このとき受信した予約録画の内容は、予約内容記憶部１２に記憶されたレコードと同じフィールドを持つ。続いて、ステップＳ１０４に進む。
【００６８】
ステップＳ１０４は、放送形態が異なる番組は受信可能かを判別するステップである。放送形態が異なる番組は受信可能ではないと判別される場合は、ステップＳ１０５に進む（Ｎｏ）。放送形態が異なる番組は受信可能であると判別される場合は、ステップＳ１０６に進む（Ｙｅｓ）。ここでは、対象となる予約録画の「放送種別」が、実行中の機器で受信可能かを判別する。なお、この判別は、チューナーの有無ではなく、該当種別に対し、受信設定が終了しているか否かで判定しても良い。
【００６９】
ステップＳ１０６は、受信した予約録画の内容が、録画装置２（２０）において視聴可能なＣｈかを判別するステップである。受信した予約録画の内容が、録画装置２（２０）において視聴可能なＣｈではないと判別される場合は、ステップＳ１０５に進む（Ｎｏ）。受信した予約録画の内容が、録画装置２（２０）において視聴可能なＣｈであると判別される場合は、ステップＳ１０７に進む（Ｙｅｓ）。ここでは、上記受信可能な場合に、「チャンネル」のレコードを参照し、録画が可能か否かを判別する。
【００７０】
ステップＳ１０７は、番組の重複予約はないかを判別するステップである。番組の重複予約があると判別される場合は、ステップＳ１０５に進む（Ｎｏ）。番組の重複予約はないと判別される場合は、ステップＳ１１２に進む（Ｙｅｓ）。ここでは、上記録画可能ならば、例えば、予約情報管理部１１に問い合わせ、重複する予約が存在するかを判定する。
【００７１】
ステップＳ１０５は、録画装置２（２０）がＥＣＧ情報検索を行なうステップである。上記のように、ここでは、録画装置２（２０）において、放送形態が異なる番組は受信可能ではないか、受信した予約録画の内容が録画装置２（２０）において視聴可能なＣｈではないか、番組の重複予約があるかのいずれかの判別が行なわれている。そこで、例えば、「タイトル」レコードに一致する番組を、放送種別毎に受信可能な番組を記録したＥＣＧ(Ｅｌｅｃｔｒｏｎｉｃ Ｃｏｎｔｅｎｔ Ｇｕｉｄｅ)から検索する。続いて、ステップＳ１０８に進む。
【００７２】
ステップＳ１０８は、録画装置２（２０）で予約録画可能な、実質的に同じ内容の番組はないかを判別するステップである。録画装置２（２０）で予約録画可能な、実質的に同じ内容の番組はないと判別される場合は、ステップＳ１０９に進む（Ｙｅｓ）。録画装置２（２０）で予約録画可能な、実質的に同じ内容の番組はあると判別される場合は、ステップＳ１１０に進む（Ｎｏ）。
【００７３】
ステップＳ１０９は、録画装置２（２０）から録画装置１（１０）に予約移動不可を出力するステップである。続いて、ステップＳ１１７に進む。すなわち、上記該当する番組がなければ、上記移動予約が不可能である旨を移動元の機器（録画装置１（１０））へ通知し、移動元の機器（録画装置１（１０））はこの旨のメッセージを表示する。
【００７４】
ステップＳ１１０は、録画装置２（２０）で予約録画可能な、実質的に同じ内容の番組は１つかを判別するステップである。録画装置２（２０）で予約録画可能な、実質的に同じ内容の番組は１つであると判別される場合は、ステップＳ１１２に進む（Ｙｅｓ）。録画装置２（２０）で予約録画可能な、実質的に同じ内容の番組は１つではないと判別される場合は、ステップＳ１１１に進む（Ｎｏ）。
【００７５】
ステップＳ１１１は、例えば放送時間が早い等の所定のルールで、１つの放送番組を指定するステップである。また、実質的に同じ内容の番組が複数該当する場合は、次のような選択基準で指定を行なうことも可能である。選択基準の例として、例えば、予約完了時刻が最も早い、録画モードによる画質が近い、録画モードによる容量が近い等がある。
【００７６】
また、ユーザ１０００に提示する優先順位として、それぞれ「時刻重視」「画質重視」「容量重視」としてユーザに提示し「最も重視するもの」と「次に重視するもの」を選択させ、予約の選択を行うように構成することも可能である。
【００７７】
例えば、ユーザの選択が、「画質」、「時刻」の順に重視するならば、可能な限り画質が近いパラメータを選択し、同一の画質のものが複数ある場合は、録画終了日時が最も早いものを選択するようにする。続いて、ステップＳ１１２に進む。
【００７８】
ステップＳ１１２は、録画装置２（２０）から録画装置１（１０）に、録画装置２（２０）で予約録画可能な変更予約録画情報を出力するステップである。続いて、ステップＳ１１３に進む。
【００７９】
ステップＳ１１３は、録画装置２（２０）で予約録画可能な変更予約録画情報を録画装置１（１０）に出力表示するステップである。続いて、ステップＳ１１４に進む。
【００８０】
ステップＳ１１４は、上記ユーザ１０００の確認入力を受信し、変更予約録画はＮＧかを判別するステップである。例えば、ユーザ１０００によって、「はい」６６０が入力された場合は、変更予約録画はＮＧではないと判別し、ステップＳ１１５に進む（Ｎｏ）。また、「いいえ」６７０が入力された場合は、変更予約録画はＮＧであると判別し、ステップＳ１１７に進む（Ｙｅｓ）。
【００８１】
ステップＳ１１５は、録画装置２（２０）に上記番組の変更予約録画指示するステップである。続いて、ステップＳ１１６に進む。
ステップＳ１１６は、録画装置２（２０）で上記番組の変更予約録画を実行するステップである。続いて、ステップＳ１１７に進む。
ステップＳ１１７は、終了ステップであり、ここでの処理は終了する。
上記のように構成することにより、この実施の形態においては、簡易に、ある録画装置に設定された録画予約を他の録画装置で実行させることが可能な録画装置を提供し、ユーザの利便性を向上させることが可能になる。
【００８２】
図８は、他の実施形態に係わる録画装置１および録画装置２、録画装置３がシステム構成されたシステム図である。
ここでは、上記説明に加え、録画装置３（３０）を構成する。そして、録画装置１（１０）と録画装置２（２０）、および、録画装置１（１０）と録画装置３（３０）は、例えば、有線または無線のＬＡＮ（３０）を介して接続される。また、例えば、ここでは、録画装置２（２０）および録画装置３（３０）は、ネットワーク（インターネット）４０を介してサーバ５０に接続され、例えば、ＩＰＴＶ等のインターネット放送を受信することが可能である。
【００８３】
また、この実施の形態においては、例えば、録画装置１（１０）において録画予約された番組と実質的に同じ内容の番組を、録画装置２（２０）で録画できない場合に、録画装置３（３０）で録画できないか否かを確認し、録画装置３（３０）で録画可能な場合に、この録画条件を録画装置１（１０）に対して出力する。
【００８４】
また、録画装置１（１０）は、この録画装置３（３０）から出力された録画可能な録画条件を受信し、例えば、録画装置１（１０）の表示部に表示出力する。
図９は、図８に示すようにシステム構成された他の実施形態に係わる録画装置の構成の一例を示すブロック図である。
この実施の形態においては、録画装置１（１０）は、予約情報収集部９０を備え、例えば、録画装置１（１０）において録画予約された番組と実質的に同じ内容の番組を、録画装置２（２０）で録画できない場合には、録画装置３（３０）で録画できないか否かを確認し、録画装置３（３０）で録画可能な場合に、この録画条件を録画装置１（１０）に対して出力するよう制御する。
【００８５】
上記と同様の構成については、同一の符号を付し、説明を省略する。
符号３１は予約情報管理部、符号３２は予約情報記憶部、符号３３は予約情報表示部、符号３４は予約移動指示部、符号３５は予約情報送信部、符号３６は予約情報受信部、符号３７は予約情報変換部、符号３８は予約録画実行部、符号３９は制御部である。
【００８６】
上記と同様に、録画装置３（３０）は、予約情報受信部３６、予約情報表示部３３、制御部３９、予約情報送信部３５、予約録画実行部３８を備えている。
予約録画実行部３８は、例えば、ＨＤＤレコーダやＢＤレコーダ等の録画装置を備えている。そして、録画装置３（３０）は、受信した放送等の映像コンテンツ等を録画することが可能である。
【００８７】
また、上記制御部３９は、予約情報変換部３７、予約移動指示部３４、予約情報管理部３１、予約情報記憶部３２を備えており、例えば、予約情報管理部３１は、予約情報変換部３７、予約移動指示部３４、予約情報記憶部３２を制御する。
【００８８】
例えば、録画装置３（３０）の録画予約に関する録画予約情報は、録画予約部３２に記憶される。
そして、例えば、上記予約情報管理部３１は、録画予約部３２に記憶された録画予約情報にアクセスし、録画予約情報の追加や削除、検索等を行う。
また、予約情報記憶部３２は、録画装置（例えば、ＨＤＤ等）に録画予約情報を記憶する。
この実施の形態においては、録画装置３（３０）は、録画装置１（１０）と同様の構成を備え、上記のように録画装置１（１０）と接続される。
そして、この実施の形態においては、録画装置１（１０）の予約情報収集部９０は、例えば、予約移動指示部１４を制御する。
なお、この予約情報収集部９０が予約を収集する先は、予めユーザに指定させておいても良いし、ＵＰｎＰのように発見プロトコルを用いて、その時点でサービス可能な録画装置の一覧を取得し、この録画装置一覧にある録画装置から収集しても良い。
【００８９】
そして、録画装置１（１０）において録画予約された番組と実質的に同じ内容の番組を、録画装置２（２０）で録画できない場合には、録画装置３（３０）で録画できないか否かを確認し、録画装置３（３０）で録画可能な場合に、この録画条件を録画装置１（１０）に対して出力する。
【００９０】
また、録画装置１（１０）は、この録画装置３（３０）から出力された録画可能な録画条件を受信し、例えば、録画装置１（１０）の表示部に表示出力する。
図１０は、他の実施形態に係わる録画装置１および録画装置２、録画装置３の動作の一部を説明するフローチャートである。
符号Ｓ２００は、ここでの開始ステップである。続いて、ステップＳ２０１に進む。
ステップＳ２０１は、録画装置１（１１０）から他の録画装置に予約移動指示するステップである。続いて、ステップＳ２０２に進む。
ステップＳ２０２は、録画装置１（１１０）に接続する録画機器（ここでは録画装置２（１２０）と録画装置３（１３０））を確認するステップである。続いて、ステップＳ２０３に進む。
【００９１】
ステップＳ２０３は、録画装置１（１１０）から録画装置２（１２０）に、予め設定された録画予約情報を出力するステップである。続いて、ステップＳ２０４に進む。
【００９２】
ステップＳ２０４は、録画装置２（１２０）は予約内容受信部２６で、録画装置１（１１０）の録画予約情報を受信するステップである。続いて、ステップＳ２０５に進む。
【００９３】
ステップＳ２０５は、放送形態が異なる番組は受信可能かを判別するステップである。放送形態が異なる番組は受信可能であると判別される場合は、ステップＳ２０７に進む（Ｙｅｓ）。放送形態が異なる番組は受信可能ではないと判別される場合は、ステップＳ２０６に進む（Ｎｏ）。
【００９４】
ステップＳ２０７は、録画装置１（１１０）に予約録画された番組は、視聴可能Ｃｈであるかを判別するステップである。録画装置１（１１０）に予約録画された番組は、視聴可能Ｃｈであると判別される場合は、ステップＳ２０８に進む（Ｙｅｓ）。録画装置１（１１０）に予約録画された番組は、視聴可能Ｃｈではないと判別される場合は、ステップＳ２０６に進む（Ｎｏ）。
【００９５】
ステップＳ２０８は、重複予約はないかを判別するステップである。重複予約はないかと判別される場合は、ステップＳ２１３に進む（Ｙｅｓ）。重複予約はないかと判別されない場合は、ステップＳ２０６に進む（Ｎｏ）。
【００９６】
ステップＳ２０６は、録画装置２（１２０）がＥＣＧ情報検索を行なうステップである。続いて、ステップＳ２０９に進む。
ステップＳ２０９は、同じ内容の番組はないかを判別するステップである。同じ内容の番組はないと判別される場合は、ステップＳ２１１に進む（Ｙｅｓ）。同じ内容の番組はあると判別される場合は、ステップＳ２１０に進む（Ｎｏ）。
【００９７】
ステップＳ２１１は、録画装置２（１２０）から録画装置１（１１０）に予約移動不可を出力するステップである。続いて、ステップＳ２１８に進む。
ステップＳ２１８は、録画装置１（１１０）の予約情報収集部９０が、録画装置２（１２０）での予約移動不可通知を受信するステップである。続いて、図１１のステップＳ２１９に進む。
【００９８】
ステップＳ２１０は、上記同じ内容の番組は１つかを判別するステップである。同じ内容の番組は１つであると判別される場合は、ステップＳ２１３に進む（Ｙｅｓ）。同じ内容の番組は１つではないと判別される場合は、ステップＳ２１２に進む（Ｎｏ）。
【００９９】
ステップＳ２１２は、例えば、放送時間が早い等の所定のルールで１つの放送番組を指定するステップである。続いて、ステップＳ２１３に進む。
ステップＳ２１３は、録画装置２（１２０）から録画装置１（１１０）に、番組の変更予約情報を出力するステップである。続いて、ステップＳ２１４に進む。
ステップＳ２１４は、番組の変更予約情報を録画装置１（１１０）に出力表示するステップである。続いて、ステップＳ２１５に進む。
ステップＳ２１５は、上記変更予約録画はＮＧかを判別するステップである。上記変更予約録画はＮＧであると判別される場合は、ステップＳ２１９に進む（Ｙｅｓ）。上記変更予約録画はＮＧではないと判別される場合は、ステップＳ２１６に進む（Ｎｏ）。
【０１００】
ステップＳ２１６は、録画装置２（１２０）に上記番組の変更予約録画指示するステップである。続いて、ステップＳ２１７に進む。
ステップＳ２１７は、録画装置２（１２０）で上記番組の変更予約録画実行するステップである。続いて、ステップＳ２３６に進む。
ステップＳ２１９は、録画装置１（１１０）から録画装置３（１３０）に、予め設定された録画予約情報を出力するステップである。続いて、ステップＳ２２０に進む。
【０１０１】
ステップＳ２２０は、録画装置３（１３０）は予約内容受信部３６で、録画装置１（１１０）の録画予約情報を受信するステップである。続いて、ステップＳ２２１に進む。
【０１０２】
ステップＳ２２１は、放送形態が異なる番組は受信可能かを判別するステップである。放送形態が異なる番組は受信可能であると判別される場合は、ステップＳ２２３に進む（Ｙｅｓ）。放送形態が異なる番組は受信可能ではないと判別される場合は、ステップＳ２２２に進む（Ｎｏ）。
【０１０３】
ステップＳ２２３は、視聴可能Ｃｈかを判別するステップである。視聴可能Ｃｈであると判別される場合は、ステップＳ２２４に進む（Ｙｅｓ）。視聴可能Ｃｈであると判別されない場合は、ステップＳ２２２に進む（Ｎｏ）。
【０１０４】
ステップＳ２２２は、録画装置３（１３０）がＥＣＧ情報検索を実行するステップである。続いて、ステップＳ２２５に進む。
ステップＳ２２５は、同じ内容の番組はないかを判別するステップである。同じ内容の番組はないと判別される場合は、ステップＳ２２７に進む（Ｙｅｓ）。同じ内容の番組はないと判別されない場合は、ステップＳ２２６に進む（Ｎｏ）。
【０１０５】
ステップＳ２２７は、録画装置３（１３０）から録画装置１（１１０）に予約移動不可を出力するステップである。続いて、ステップＳ２３４に進む。
ステップＳ２３４は、録画装置１（１１０）の予約情報収集部９０は、録画装置３（１３０）での予約移動不可通知を受信するステップである。続いて、ステップＳ２３５に進む。
【０１０６】
ステップＳ２３５は、録画装置１（１１０）は録画装置２（１２０）、録画装置３（１３０）への予約移動不可を表示するステップである。続いて、ステップＳ２３６に進む。
【０１０７】
ステップＳ２２６は、同じ内容の番組は１つかを判別するステップである。同じ内容の番組は１つであると判別される場合は、ステップＳ２２９に進む（Ｙｅｓ）。同じ内容の番組は１つではないと判別される場合は、ステップＳ２２８に進む（Ｎｏ）。
【０１０８】
ステップＳ２２８は、例えば、放送時間が早い等の所定のルールで１つの放送番組を指定するステップである。続いて、ステップＳ２２９に進む。
ステップＳ２２９は、録画装置３（１３０）から録画装置１（１１０）に、番組の変更予約情報を出力するステップである。続いて、ステップＳ２３０に進む。
ステップＳ２３０は、番組の変更予約情報を録画装置１（１１０）に出力表示するステップである。続いて、ステップＳ２３１に進む。
ステップＳ２３１は、上記変更予約録画はＮＧかを判別するステップである。上記変更予約録画はＮＧであると判別される場合は、ステップＳ２３６に進む（Ｙｅｓ）。上記変更予約録画はＮＧではないと判別される場合は、ステップＳ２３２に進む（Ｎｏ）。
【０１０９】
ステップＳ２３２は、録画装置３（１３０）に上記番組の変更予約録画を指示するステップである。続いて、ステップＳ２３３に進む。
ステップＳ２３３は、録画装置３（１３０）で上記番組の変更予約録画実行するステップである。続いて、ステップＳ２３６に進む。
ステップＳ２３６は、終了ステップであり、ここでの処理は終了する。
上記のように構成することにより、この実施の形態においては、簡易に、ある録画装置に設定された録画予約を他の録画装置で実行させることが可能な録画装置を提供し、ユーザの利便性を向上させることが可能になる。
【０１１０】
図１２は、他の実施形態に係わる複数の録画装置がシステム構成されたシステム図である。
ここでは、図１２に示すように、録画装置１（１０）、録画装置２（２０）、携帯端末２３０、ＴＶ２４０、ＳＴＢ２５０が、例えば、無線ＬＡＮで接続されている。
【０１１１】
そして、この実施の形態においては、例えば、携帯端末２３０により、上記と同様に、録画予約の表示や録画予約の移動指示が行われ、録画装置２（２０）において実行される。
【０１１２】
図１３は、他の実施形態に係わる複数の録画装置がシステム構成されたシステムにおける携帯端末と録画装置２を示す図である。
この実施の形態においては、携帯端末２３０は、図１３に示すように、予約情報受信部２３６、予約情報表示部２３３、制御部２３９、予約情報送信部２３５、予約録画実行部２３８を備えている。
【０１１３】
また、ここでは、予約録画実行部２３８は、例えば、ＨＤＤレコーダやＢＤレコーダ等の録画装置を備えている（図示せず）。そして、携帯端末２３０は、受信した放送等の映像コンテンツ等を録画することが可能である。
【０１１４】
また、上記制御部２３９は、予約情報変換部２３７、予約移動指示部２３４、予約情報管理部２３１、予約情報記憶部２３２を備えており、例えば、予約情報管理部２３１は、予約情報変換部２３７、予約移動指示部２３４、予約情報記憶部２３２を制御する。
【０１１５】
また、録画装置２（２０）は、予約情報受信部２６、予約情報表示部２３、制御部２９、予約情報送信部２５、予約録画実行部２８を備えている。
予約録画実行部２８は、例えば、ＨＤＤレコーダやＢＤレコーダ等の録画装置を備えている。そして、録画装置２（２０）は、受信した放送等の映像コンテンツ等を録画することが可能である。
【０１１６】
また、上記制御部２９は、予約情報変換部２７、予約情報管理部２１、予約情報記憶部２２を備えており、例えば、予約情報管理部２１は、予約情報変換部２７、予約情報記憶部２２を制御する。
【０１１７】
例えば、録画装置２（２０）の録画予約に関する録画予約情報は、録画予約部２２に記憶される。
そして、例えば、上記予約情報管理部２１は、録画予約部２２に記憶された録画予約情報にアクセスし、録画予約情報の追加や削除、検索等を行う。
また、予約情報記憶部２２は、録画装置（例えば、ＨＤＤ等）に録画予約情報を記憶する。
図１４は、他の実施形態に係わる携帯端末と録画装置２間における予約録画の移動シーケンスを説明するシーケンス図である。
ここでは、携帯端末２３０と録画装置２（２）間における予約録画の移動シーケンスを示している。
ここでは、上記予約録画に係る情報の転送元は「携帯端末２３０」、転送先は「録画装置２（２０）」である。また、符号１０００は、この「携帯端末２３０」から「録画装置２（２０）」へ予約録画を移動させることを操作するユーザである。
【０１１８】
ここでは、まず、ユーザ１０００が携帯端末２３０を操作し、携帯端末２３０に録画予約されている番組に係る情報を表示するように指示する。
すると、携帯端末２３０は、この指示を受け、例えば、携帯端末２３０の予約情報表示部２３３に、例えば、上記図４に示すような、予約録画一覧表示を表示する（５０１）。
【０１１９】
ユーザ１０００は、この表示された予約録画一覧表示の予約録画情報から、一つまたは複数の番組を選択指定する。上記予約録画情報の転送先は、予め指定されていても良いし、この時、ユーザ１０００が上記予約録画情報の転送先（この場合「録画装置２（２０）」）を指定しても良い。（５０２）
【０１２０】
そして、これらの指定された情報が、携帯端末２３０から録画装置２（２０）に向けて送信される。例えば、携帯端末２３０は、予約情報送信部２３５から、ネットワークを通じて録画装置２（２０）の予約情報受信部２６に、上記予約録画情報を送信する。これにより、予約録画の移動が要求される（５０３）。
【０１２１】
録画装置２（２０）は、携帯端末２３０から送信された予約録画情報を受信する。そして、受信した予約録画情報の内容で、録画装置２（２０）で予約録画が実行可能であるか否かを判別する。
【０１２２】
そして、受信した予約録画情報の内容で、録画装置２（２０）で予約録画が実行可能である場合は、図１４（ｂ）に示すように、予約変更をせず、例えば、放送時間や圧縮モード等との変換を行なうことなく、受信した予約録画情報の内容で、予約情報管理部２３１にて予約を登録する（５０９）。
【０１２３】
また、受信した予約録画情報の内容で、録画装置２（２０）で予約録画が実行可能ではない場合は、図１４（ａ）に示すように、上記録画装置２（２０）において予約録画可能な条件に変更した、録画装置２（２０）における変更予約録画情報を、携帯端末２３０に向けて出力する（５０５）。
【０１２４】
携帯端末２３０は、この変更予約録画情報を受信する。そして、予約情報表示部２３３に、変更予約録画に係る情報（録画装置２（２０）において録画可能な録画条件）の表示画面を表示出力し、ユーザの確認を得る（５０６）。
【０１２５】
ユーザ１０００は、例えば、図６に示すような、この表示画面の内容を確認し、上記表示された変更予約録画に係る情報（録画装置２（２０）において録画可能な録画条件）で予約録画を行なっても良いか否かを、携帯端末２３０に入力する。そして、上記録画条件で予約録画を行なっても良い場合は、ユーザは、例えば、「はい」を指定し、入力する（５０７）。
【０１２６】
そして、上記「はい」が入力された場合は、携帯端末２３０は、上記変更予約録画が確認された旨を録画装置２（２０）に向けて出力し、上記変更予約録画の実行を指示する（５０８）。
【０１２７】
録画装置２（２０）は、この変更予約録画の実行指示を受信し、録画装置２（２０）の予約情報管理部２１にこの予約録画を登録する（５０９）。
上記のように構成することにより、この実施の形態においては、簡易に、ある録画装置に設定された録画予約を他の録画装置で実行させることが可能な録画装置を提供し、ユーザの利便性を向上させることが可能になる。
【０１２８】
また、上記実施の形態においては、録画装置２（２０）は、他機器（携帯端末２３０）において録画予約された番組の録画予約情報を受信する録画予約情報受信部（予約情報受信部２６）を備える。
【０１２９】
また、上記受信した録画予約情報に係る番組と実質的に同じ内容の番組を自機器（録画装置２（２０））で録画可能な場合に、この録画条件を出力する録画条件出力部を備える。
【０１３０】
また、制御部２９は、上記受信した録画予約情報に係る番組と実質的に同じ内容の番組を録画可能であるかの検出を行う。
また、録画装置２（２０）は、上記出力した録画条件を拒絶する信号（例えば、図６に示す「いいえ」６７０の入力信号等）を受信しない場合は、上記出力した録画条件で録画を行なう。
【０１３１】
上記のように構成することによって、この発明の実施の形態においては、簡易に、ある録画装置に設定された録画予約を他の録画装置で実行させることが可能な録画装置を提供し、ユーザの利便性を向上させることが可能になる。
【０１３２】
なお、上記実施形態は、記述そのものに限定されるものではなく、実施段階では、その趣旨を逸脱しない範囲で、構成要素を種々変形して具体化することが可能である。
【０１３３】
また、上記実施形態に開示されている複数の構成要素の適宜な組み合せにより種々の発明を形成できる。
例えば、実施形態に示される全構成要素から幾つかの構成要素を削除してもよい。更に、異なる実施形態に亘る構成要素を適宜組み合せてもよい。
【符号の説明】
【０１３４】
１…アンテナ１、２…アンテナ２、１０…録画装置１、１１…予約情報管理部、１２…予約情報記憶部、１３…予約情報表示部、１４…予約移動指示部、１５…予約情報送信部、１６…予約情報受信部、１７…予約情報変換部、１８…予約録画実行部、１９…制御部、２０…録画装置２、２１…予約情報管理部、２２…予約情報記憶部、２３…予約情報表示部、２４…予約移動指示部、２５…予約情報送信部、２６…予約情報受信部、２７…予約情報変換部、２８…予約録画実行部、２９…制御部、３０…ＬＡＮ、４０…ネットワーク（インターネット）、５０…サーバ、６００…録画条件表示
【図１】
2012238928.tif 000003
【図２】
2012238928.tif 000004
【図３】
2012238928.tif 000005
【図４】
2012238928.tif 000006
【図５】
2012238928.tif 000007
【図６】
2012238928.tif 000008
【図７】
2012238928.tif 000009
【図８】
2012238928.tif 000010
【図９】
2012238928.tif 000011
【図１０】
2012238928.tif 000012
【図１１】
2012238928.tif 000013
【図１２】
2012238928.tif 000014
【図１３】
2012238928.tif 000015
【図１４】
2012238928.tif 000016